(57)【要約】  投入エネルギー蓄積器（１）が第１末端（２）を保持され、第２末端が締付装置の偏心器（６）と結合され、この締付装置と戻り運動制限手段が協動する、単純かつ安価な構造を有する遮断器用投入エネルギー蓄積装置を構成するために、手段が、投入エネルギー蓄積器の第１末端に配置されるラチェット機構を有することが提案される。【選択図】      図１
2009505336.tif 000002
【特許請求の範囲】
【請求項１】
遮断器用投入エネルギー蓄積装置であって、投入エネルギー蓄積器（１）が第１末端（２）を保持され、第２末端が締付装置の偏心器（６）と結合され、この締付装置と戻り運動制限手段が協動するものにおいて、手段（３、１０、１３、１４、１５）が、投入エネルギー蓄積器（１）の第１末端（２）に配置されるラチェット機構（３）を有することを特徴とする投入エネルギー蓄積装置。
【請求項２】
手段（３、１０、１３、１４、１５）がラチェット機構（３）を作動させる案内部品（１０）を含み、この案内部品でもって投入エネルギー蓄積器（１）の第１末端（２）が固定軸（１３）で、案内部品（１０）に設けられた溝孔（１１）によって運動可能に支承されており、この案内部品が投入エネルギー蓄積器（１）の第２末端（５）と結合されていることを特徴とする請求項１記載の投入エネルギー蓄積装置。
【請求項３】
ラチェット機構（３）が、固定軸（１３）の周りを第１位置と第２位置との間で回転運動可能なラチェット（１４）を有し、このラチェットにばね要素（１５）が作用することを特徴とする請求項２記載の投入エネルギー蓄積装置。
【請求項４】
固定軸とばね要素（１５）が固着要素（４）で保持されていることを特徴とする請求項３記載の投入エネルギー蓄積装置。
【請求項５】
案内部品（１０）に止め要素（１２）が設けられており、この止め要素がラチェット（１４）の締付凹部（１８）と協動することを特徴とする請求項３または４記載の投入エネルギー蓄積装置。
【請求項６】
ラチェット（１４）が係止凹部（１９）を有することを特徴とする請求項５記載の投入エネルギー蓄積装置。
【発明の詳細な説明】
【技術分野】
【０００１】
本発明は、遮断器用投入エネルギー蓄積装置であって、投入エネルギー蓄積器が第１末端を保持され、第２末端が締付装置の偏心器と結合され、この締付装置と戻り運動制限手段が協動するものに関する。
【背景技術】
【０００２】
遮断器用のこのような投入エネルギー蓄積装置が独国特許発明第１９５０３６７９号明細書により公知である。投入エネルギー蓄積器としての投入ばねはその第１末端を固定され、その第２末端は締付兼開閉軸に配置される偏心器と結合されている。投入ばね用締付装置に逆転防止装置が戻り運動制限手段として構成されている。逆転防止装置は、昇降軸の筒体と締付装置の壁とに配置される止め要素と慣性作動軸受とを有する。締付過程のとき筒体は慣性作動軸受を介して昇降軸から連結解除されている。遮断器の投入過程のとき、投入ばねに蓄積されたエネルギーが開閉軸の回転に利用され、この投入過程後、運動エネルギーのゆえに開閉軸および投入ばね末端の運動方向は反転できる。このような反転時、筒体は慣性作動軸受によって回転し続け、筒体に配置される止め要素は壁に配置される止め要素に当接するに至る。両方の止め要素が互いに接触すると、それ以上の運動は妨げられる。このような慣性作動軸受は精密部品であり、それゆえにきわめて費用がかかる。
【発明の開示】
【発明が解決しようとする課題】
【０００３】
本発明の課題は、単純で安価な構造を可能とする冒頭に指摘した種類の投入エネルギー蓄積器を構成することである。
【課題を解決するための手段】
【０００４】
この課題は、本発明によれば手段が、投入エネルギー蓄積器の第１末端に配置されるラチェット機構を有することによって解決される。このような配置は有利なことに単純、安価、同時に低摩耗である。なぜならば、投入エネルギー蓄積器の戻り運動は投入エネルギー蓄積器の第１末端に配置されるラチェット機構のみによって制限もしくは防止されるからである。
【０００５】
望ましい１構成において手段はラチェット機構を作動させる案内部品を含み、この案内部品でもって投入エネルギー蓄積器の第１末端は固定軸で、案内部品に設けられた溝孔によって運動可能に支承されており、この案内部品が投入エネルギー蓄積器の第２末端と結合されている。このような配置では有利なことに、投入エネルギー蓄積器の偏心支承された第２末端と溝孔内で支承された案内部品とに基づいて、案内部品の自由末端に関して投入過程中の案内部品運動軌跡は投入過程後の運動軌跡とは異なり、ラチェット機構でもって、一方で投入エネルギー蓄積器の締付が行われ、他方で戻り運動が制限される。
【０００６】
好ましい１実施形態においてラチェット機構は、固定軸の周りを第１位置と第２位置との間で回転運動可能なラチェットを有し、このラチェットにばね要素が作用する。このようなラチェットでもってラチェット機構は単純に構成することができる。
【０００７】
好ましい１実施形態において固定軸とばね要素は固着要素で保持されている。このような配置では、ばね要素によってラチェットはその第１位置と第２位置との間で軸の周りを簡単に揺動させることができる。
【０００８】
望ましい構成において、案内部品に止め要素が設けられており、この止め要素がラチェットの締付凹部と協動する。止め要素が案内部品に配置されて締付凹部と協動することによって、ラチェットをその第１位置から第２位置へと変位させるための簡単な可能性が実現される。
【０００９】
他の構成においてラチェットは係止凹部を有する。投入過程後に投入エネルギー蓄積器が戻る運動のとき、止め要素が係止凹部内に係合し、戻り運動制限部は簡単かつ効果的に構成されている。
【００１０】
以下、図面と図に関連した実施例とに基づいて本発明が詳しく説明される。
【発明を実施するための最良の形態】
【００１１】
図１が示す投入エネルギー蓄積装置は投入エネルギー蓄積器としてばね要素１を備えており、このばね要素は第１末端２がラチェット機構３によって固着部品４と結合され、第２末端５が関節式に偏心器６と結合されている。偏心器６と板カム７は締付軸８に固定配置されている。板カム７は開閉軸９と協動し、遮断器の分離可能な開閉接点用の図示しない操作機構の一部である。投入エネルギー蓄積器１の第１末端２に挿通されている案内部品１０が溝孔１１と止め要素１２とを備えている。案内部品１０は第２末端５と剛性結合され、溝孔１１内を延びる軸１３によって固着部品４で支承されている。ラチェット機構３は、やはり軸１３で回転可能に支承されたラチェット１４とばね１５とを含み、このばねはその第１末端１６がラチェット１４に固着され、第２末端１７が固着部品４に固着されている。破線で示した線Ａは投入エネルギー蓄積器の開閉過程もしくは締付過程のときの第２末端５の運動軌跡に一致し、破線で示した線Ｂは止め要素１２の運動軌跡に一致する。運動軌跡Ｂは、系の運動学的配置に基づいて、止め要素１２が投入エネルギー蓄積器の上死点から下死点へと動くとき逆向きの運動時とは別の軌跡曲線が擦過され、これによりラチェット１４での固定が可能となることを特徴としている。
【００１２】
図１では投入エネルギー蓄積器が締付状態にあり、ばね要素は圧縮応力を受けている。第２末端５はその運動軌跡曲線Ａの上側反転個所にあり、止め要素１２はその軌跡曲線Ｂの上側屈曲個所の近傍にあり、軸１３は案内部品１０の溝孔１１の下側止めにある。ラチェット１４はばね１５の引張力によって第１位置で保持される。
【００１３】
開閉過程が作動されると、投入エネルギー蓄積器に蓄積されたエネルギーは偏心器６および締付軸８を介して板カム７に伝達され、そのことにより開閉軸９に伝達される。第２末端５は線Ａに沿って反時計回りに動き、止め要素１２は線Ｂ上を時計回りに動く。
【００１４】
図２はラチェット機構を備えた投入エネルギー蓄積器１を開閉過程作動直後の位置において示しており、投入エネルギー蓄積器１は部分的に膨張している。投入エネルギー蓄積器１のエネルギーは締付軸８を介して板カムの回転をもたらし、従って開閉軸９の運動をもたらす。第２末端５は線Ａ上の９時位置にあり、止め要素１２は線Ｂ上を下方に動いている。軸１３は溝孔１１に対して相対的に、第２末端５に結合された案内部品１０の運動のゆえに、溝孔１１の第２末端近傍の位置にある。
【００１５】
図３は投入エネルギー蓄積器を完全膨張状態で示しており、この状態のとき第２末端５と止め要素１２は各線Ａ、Ｂの下側反転個所に達している。この位置のとき軸１３は溝孔の上側末端にある。止め要素１２はＬ形締付凹部１８内でラチェット１４に当接している。この位置のとき止め要素１２は、回転可能に支承されたラチェット１４をばね１５のばね力に抗して固着部品４から離れるように動かしはじめ、ばね１５が締付けられる。
【００１６】
図４は、遮断器の開閉過程直後の投入エネルギー蓄積器１およびラチェット機構の位置を示す。板カム７が開閉軸９と接触しておらず、開閉軸９、従って遮断器の接点は、鎖錠され投入された位置にある。開閉過程時に部分的に運動エネルギーに変換された投入エネルギー蓄積器１のエネルギーによって板カム７と偏心器６はその反転個所を越えて回転し、案内部品１０が上方に動き、止め要素１２はラチェット１４の締付凹部１８から進出する。この瞬間にラチェット１４はばね１５の引張力によってその第１位置に戻される。偏心器６の継続回転によって投入エネルギー蓄積器１が部分的に締付けられ、これにより投入エネルギー蓄積器１は戻り運動を実行する。この戻り運動はばね１５によってその第１位置に戻されたラチェット１４によって制限される。そのことは図５を参考に説明する。
【００１７】
図５は、止め要素１２が係止された遮断器の開閉過程後の投入エネルギー蓄積器１およびラチェット機構の位置を示す。止め要素１２はラチェットの係止凹部１９内に係合して鎖錠されている。この鎖錠によって投入エネルギー蓄積器１の継続戻りは確実に防止される。こうして遮断器は直ちに再び遮断することができ、投入エネルギー蓄積器用の新たな締付過程が起きる。
【図面の簡単な説明】
【００１８】
【図１】投入エネルギー蓄積器が締付けられた第１位置における投入エネルギー蓄積装置の略図である。
【図２】投入エネルギー蓄積器が部分的に膨張した第２位置における投入エネルギー蓄積装置の略図である。
【図３】投入エネルギー蓄積器が膨張した第３位置における投入エネルギー蓄積装置の略図である。
【図４】第４位置における投入エネルギー蓄積装置の略図である。
【図５】第５の鎖錠位置における投入エネルギー蓄積装置の略図である。
【符号の説明】
【００１９】
１  投入エネルギー蓄積器
２  投入エネルギー蓄積器の第１末端
３  ラチェット機構
４  固着部品
５  第２末端
６  偏心器
７  板カム
８  締付軸
９  開閉軸
１０  案内部品
１１  溝孔
１２  止め要素
１３  軸
１４  ラチェット
１５  ばね
１６  ばねの第１末端
１７  ばねの第２末端
１８  締付凹部
１９  係止凹部
Ａ  第２末端の運動軌跡
Ｂ  止め要素の運動軌跡
【図１】
2009505336.tif 000003
【図２】
2009505336.tif 000004
【図３】
2009505336.tif 000005
【図４】
2009505336.tif 000006
【図５】
2009505336.tif 000007
【国際調査報告】
2009505336.tif 000008
2009505336.tif 000009
2009505336.tif 000010
2009505336.tif 000011